(57)【要約】【課題】商品に付されている一次元のバーコードを利用して様々な商品情報を取得できるようにする。【解決手段】携帯端末２のカメラ８によって、商品５に付されている一次元のバーコード６を撮像することによって、バーコードを読取って通信ネットワーク４を介してサーバ３へ送信し、サーバ３は、商品情報が格納されたデータベース１４からバーコードに対応する商品の情報を読み出して通信ネットワーク４を介して携帯端末２に送信し、携帯端末２では、受信した商品情報をタッチパネル９に表示するようにしている。【選択図】図１
2014041508.tif 000002
【特許請求の範囲】
【請求項１】
利用者が携帯する携帯端末と、サーバとを備え、一次元のバーコードが付されている商品に関する商品情報を前記利用者に提供する商品情報提供システムであって、
前記携帯端末は、
撮像部と、該撮像部によって撮像した画像に含まれる商品の前記バーコードを読取って前記サーバに送信する一方、前記サーバから送信される前記バーコードに対応する商品に関する商品情報を受信する通信部と、受信した前記商品情報を表示する表示部とを備え、
前記サーバは、前記バーコードに対応した商品の情報が格納されるデータベースと、前記携帯端末から送信されるバーコードを受信する一方、受信したバーコードに対応する商品情報を前記データベースから読み出して前記携帯端末に送信する通信部とを備える、
ことを特徴とする商品情報提供システム。
【請求項２】
前記サーバのデータベースに情報が格納されている商品には、当該商品情報提供システムに対応した商品であることを示す表示がなされている、
請求項１に記載の商品情報提供システム。
【請求項３】
前記携帯端末の前記表示部は、前記撮像部によって撮像される画像に、前記商品情報を重畳して表示する、
請求項１または２に記載の商品情報提供システム。
【請求項４】
前記商品が生鮮食品であり、前記商品情報が前記生鮮食品の鮮度を、その形態に基づいて評価するための情報である、
請求項１ないし３のいずれかに記載の商品情報提供システム。
【請求項５】
前記携帯端末は、受信した商品情報を、商品に対応させて保存リストとして記憶する記憶部を有し、前記表示部には、前記保存リストの前記商品情報が表示可能である、
請求項１ないし４のいずれかに記載の商品情報提供システム。
【発明の詳細な説明】
【技術分野】
【０００１】
本発明は、店舗等に陳列されている各種商品の情報を、携帯端末を有する来店者に対して提供するシステムに関し、更に詳しくは、商品に付されている一次元のバーコードを利用して商品情報を提供するシステムに関する。
【背景技術】
【０００２】
近年、消費者などにおいて、飲食品等の商品の品質や安全性等を確認できるようにするため、飲食品等の商品に対して生産者、産地、原材料、生産方法等の様々な情報を表示することが強く要望されるようになっており、特に、アレルギー疾患を持っているような顧客に対して、アレルギー物質の有無についての情報が印刷されたラベルを商品に貼付して情報を提供している（例えば、特許文献１参照）。
【先行技術文献】
【特許文献】
【０００３】
【特許文献１】特開２００２−３６１９４１号公報
【発明の概要】
【発明が解決しようとする課題】
【０００４】
しかしながら、商品のラベルやパッケージに表示できる情報量には限界があり、多くの情報を表示するためには、ラベルが非常に大きくなったり、ラベルに表示する文字が小さくなって読みにくくなる等の問題があり、表示内容を取捨選択する必要があった。
【０００５】
また、商品の製造メーカは、販売促進のための広告を行うが、店舗に陳列されている商品の広告は、商品のパッケージやラベル等に限定されており、十分な広告効果を得ることができない。
【０００６】
一方、店舗に陳列されている多数の商品には、ＪＡＮコード等の一次元のバーコードが付されて管理されている。
【０００７】
本発明は、上述のような点に鑑みてなされたものであって、商品に付されている一次元のバーコードを利用して、各種の商品について様々な商品情報を提供できるようにすることを目的とする。
【課題を解決するための手段】
【０００８】
上記目的を達成するために、本発明では、次のように構成している。
【０００９】
（１）本発明の商品情報提供システムは、利用者が携帯する携帯端末と、サーバとを備え、一次元のバーコードが付されている商品に関する商品情報を前記利用者に提供する商品情報提供システムであって、
前記携帯端末は、撮像部と、該撮像部によって撮像した画像に含まれる商品の前記バーコードを読取って前記サーバに送信する一方、前記サーバから送信される前記バーコードに対応する商品に関する商品情報を受信する通信部と、受信した前記商品情報を表示する表示部とを備え、
前記サーバは、前記バーコードに対応した商品の情報が格納されるデータベースと、前記携帯端末から送信されるバーコードを受信する一方、受信したバーコードに対応する商品情報を前記データベースから読み出して前記携帯端末に送信する通信部とを備える。
【００１０】
本発明の商品情報提供システムによると、利用者は、商品に付されている一次元のバーコードを、携帯端末のカメラ等の撮像部で撮像することにより、その商品に関する商品情報が、サーバから取得されて表示部に表示されるので、利用者は、商品のパッケージやラベルに表示されている以外の様々な商品情報を取得することができる。しかも、商品の管理のために、従来から商品に付されている一次元のバーコードを利用するので、当該商品情報提供システムを構築するのが容易である。
【００１１】
（２）本発明の商品情報提供システムの好ましい実施態様では、前記サーバのデータベースに情報が格納されている商品には、当該商品情報提供システムに対応した商品であることを示す表示がなされている。
【００１２】
この実施態様によると、当該商品情報提供システムを利用して商品情報を取得することができる対応商品には、それを示すラベル等による表示がなされているので、利用者は、その表示によって対応商品であることを認識して当該システムを利用することができる。
【００１３】
（３）本発明の商品情報提供システムの他の実施態様では、前記携帯端末の前記表示部は、前記撮像部によって撮像される画像に、前記商品情報を重畳して表示する。
【００１４】
この実施態様によると、撮像部によって撮像される現実空間の画像に、サーバから取得した商品情報を重畳して表示することができ、例えば、現実空間の商品の画像に、あたかもその商品に商品情報が付されているかのように表示する、いわゆる拡張現実感（ＡＲ：Augmented Reality）技術を利用して商品情報を提供することができる。
【００１５】
（４）本発明の商品情報提供システムの更に他の実施態様では、前記商品が生鮮食品であり、前記商品情報が前記生鮮食品の鮮度を、その形態に基づいて評価するための情報である。
【００１６】
生鮮食品の鮮度を、その形態に基づいて評価するための情報としては、例えば、新鮮な生鮮食品の画像、鮮度を見分ける部位の色や形状、鮮度の見分け方の説明などの情報がある。
【００１７】
この実施態様によると、商品情報として生鮮食品の鮮度を、色や形などに形態に基づいて評価するための情報が携帯端末の表示部に表示されるので、利用者は、表示される情報と実際の生鮮食品とを見比べて鮮度を判定することができる。
【００１８】
（５）本発明の商品情報提供システムの他の実施態様では、前記携帯通信端末は、受信した商品情報を、商品に対応させて保存リストとして記憶する記憶部を有し、前記表示部には、前記保存リストの前記商品情報が表示可能である。
【００１９】
この実施態様によると、サーバから取得した商品情報は、商品に対応させて保存リストとして記憶部に格納し、この格納した商品情報を表示部に表示できるので、以前に商品情報を取得した商品については、携帯端末の撮像部で商品のバーコードを撮像しなくても、商品情報を保存リストから読み出して表示部に表示することができる。
【発明の効果】
【００２０】
本発明によれば、利用者は、商品に付されている一次元のバーコードを、携帯端末のカメラ等の撮像部で撮像することにより、その商品に関する商品情報が、サーバから取得されて携帯端末の表示部に表示されるので、利用者は、商品のパッケージやラベルに表示されている以外の様々な商品情報を取得することができる。しかも、商品の管理ために従来から商品に付されている一次元のバーコードを利用するので、当該システムの構築が容易である。
【図面の簡単な説明】
【００２１】
【図１】図１は本発明の一実施形態に係る商品情報提供システムの概略構成図である。
【図２】図２は携帯端末に表示される起動画面を示す図である。
【図３】図３は商品のバーコードの読取り画像を示す図である。
【図４】図４はサーバから取得した商品情報の表示画面を示す図である。
【図５】図５は保存リストの表示画面を示す図である。
【図６】図６は携帯端末の動作説明に供するフローチャートである。
【図７】図７は図６に引き続くフローチャートである。
【図８】図８は商品情報の他の表示例を示す図である。
【発明を実施するための形態】
【００２２】
以下、本発明の実施の形態を、図面を参照しながら詳細に説明する。
【００２３】
図１は、本発明の一実施形態に係る商品情報提供システムの概略構成図である。
【００２４】
この実施形態の商品情報提供システム１では、多機能携帯電話機やタブレット端末等の携帯端末２とサーバ３とが、通信ネットワーク４を介して接続可能に構成されている。
【００２５】
この商品情報提供システム１は、携帯端末２を携帯する利用者に対して、スーパーマーケット等の店舗に陳列されている各種の商品に関する商品情報を提供するものである。
【００２６】
図１では、各種の商品を商品５として代表的に示している。これら各種の商品５のパッケージには、従来から商品管理のために一次元のバーコード６が付されている。この一次元のバーコード６は、一般的に広く利用されているＪＡＮコード等のバーコードである。
【００２７】
この実施形態では、当該商品情報提供システム１によって商品情報を取得することができる商品５のパッケージには、利用者に対して、当該システムを利用できるシステム対応商品であることを示すスマートラベル７が付されている。
【００２８】
携帯端末２は、商品５に付されたバーコード６を撮像可能なカメラ８と、バーコード６の撮像画像を解析してＩＤコードを取得するコード読取部９と、入力操作を行うと共に、画面表示を行うためのタッチパネル１０と、後述の保存リスト等を記憶する記憶部１１と、通信ネットワーク４を介してサーバ３と通信するための送受信部１２と、所定の制御プログラムに従って各部を制御する制御部１３とを備える。
【００２９】
この携帯端末２には、当該商品情報提供システム専用のアプリケーションプログラムが予めダウンロードされている。
【００３０】
サーバ３は、商品情報がＩＤコードに対応付けられて格納されたデータベース１４と、通信ネットワーク４に接続された通信部としての送受信部１５と、各部を制御する制御部１６とを備えると共に、適宜、図示しないキーボードなどの入力部及び液晶ディスプレイなどの表示部が設けられる。データベース１４には、ＩＤコードに対応する商品毎に、商品に関する商品情報が予め格納されている。商品情報としては、例えば、商品の原材料、その組成割合、商品の広告、食品の調理方法、生鮮食品の鮮度の見分け方、商品を購入した消費者の商品に関するコメント、商品の価格情報等の情報があり、適宜、必要な情報を格納することができる。
【００３１】
この実施形態では、携帯端末２を携帯する利用者は、店舗に陳列されている商品５に、スマートラベル７が付されていることを確認し、当該商品５がシステム対応商品であることを認識する。
【００３２】
利用者が、当該商品５に関する商品情報を取得したいと望むときには、携帯端末２のカメラ８によって商品５のバーコード６を撮像する。携帯端末２では、撮像した画像を、制御部１３を介してコード読取り部９に送り、コード読取り部９で画像を解析してＩＤコードを取得し、取得したＩＤコードを送受信部１２から通信ネットワーク４を介してサーバ３へ送信する。
【００３３】
ＩＤコードを受信したサーバ３では、制御部１６がＩＤコードに基づいて、データベース１４を検索し、データベース１４に格納されているＩＤコードに対応する商品情報を読出し、送受信部１５から通信ネットワーク４を介して携帯端末２に送信する。
【００３４】
携帯端末２では、サーバ３からの商品情報を送受信部１２で受信し、制御部１３は、ダウンロードした商品情報を記憶部１１に格納する一方、タッチパネル１０に表示し、利用者に、商品５に関する商品情報を提供する。
【００３５】
このように、この実施の形態に係る商品情報提供システム１では、従来から多種の商品５に付されているバーコード６を利用して、携帯端末２にサーバ３から商品情報提供を簡便に取得することができる。
【００３６】
また、携帯端末２では、受信した商品情報を商品５に対応させて保存リストとして記憶部１１に格納するので、次回に、同じ商品５についての商品情報を確認したいときには、商品５のバーコード６を撮像することなく、後述のように保存リストから商品情報を読み出し、タッチパネル１０に表示することができる。
【００３７】
この保存リストの商品情報は、サーバ３の商品情報が更新された場合には、後述のように、その更新情報を受信して記憶部１１の商品情報を更新することができるようになっている。
【００３８】
次に、携帯端末２を用いて商品情報の提供を受ける場合の一例を、その操作手順と共に説明する。
【００３９】
先ず、店舗に陳列されている商品５に、スマートラベル７が付されていることを確認し、当該商品５に関する商品情報を取得したいと望む利用者は、携帯端末２のタッチパネル１０を操作して当該システム用のプログラムを起動する。これによって、タッチパネル１０は、図２に示されるようにスマートラベル７が表示される起動画面となる。
【００４０】
次に、起動処理が終了すると、カメラ８の撮像モードに移行し、タッチパネル１０には、図３に示されるように、商品５の撮像画面が表示されると共に、カメラ８を商品５のバーコード６にかざすように促すメッセージが表示される。図３では、商品５、この例では「おにぎり」のパッケージに付されたバーコード６にカメラ８をかざして撮像している状態を示している。
【００４１】
次に、バーコード６が認識されると、タッチパネル１０には、バーコード６を囲む枠が表示され、バーコード６を認識できたことを利用者に知らせる。なお、バーコード６を囲む枠の表示に加えて確認音を出力するようにしてもよい。その後、上述のように、バーコード６のＩＤコードをサーバ３に送信して、サーバ３から該当する商品情報を取得するまで、タッチパネル１０は、待機画面となり、例えば、待機用のアニメーションが表示される。
【００４２】
なお、図３に示されるカメラ８の撮像モードの画面の左下には、当該システムの使い方の説明を参照するためのインフォメーションボタン１７が表示され、画面の右下には、それまでにサーバ３から取得した商品情報をリスト化した保存リストから商品情報を参照するための保存リストボタン１８が表示される。
【００４３】
次に、サーバ３からの商品情報が取得されると、タッチパネル１０には、図４に示すように、商品情報が表示される。この例では、商品情報として、商品「おにぎり」の原材料である、鮭、海苔、お米についての画像、成分組成、消費期限等の情報が、矩形の領域Ａに表示される。この商品情報は、操作に応じて、拡大、縮小表示することができる。この商品情報は、保存リストに加えられて携帯端末２の記憶部１１に格納される。
【００４４】
この商品情報の表示画面には、その右上に、上記インフォメーションボタン１７が表示され、右下に、上記保存リストボタン１８が表示される。また、表示画面の下の中央には、撮影ボタン１９が表示され、この撮影ボタン１９を操作することによって、この商品情報の表示画面を撮影することができ、撮影直後、一時的に撮影ボタン１９がＦａｃｅｂｏｏｋ、Ｔｗｉｔｔｅｒに変化し、どちらかのボタンを押すことで、撮影した画像を投稿することができる。
【００４５】
商品情報の表示画面の左下には、もどるボタン２０が表示され、このもどるボタン２０を操作すると、カメラ８の撮像モードへ戻る。
【００４６】
上記保存リストボタン１８を操作すると、タッチパネル１０には、図５（ａ）に示す保存リストが表示される。保存リストは、バーコード６をカメラ８で撮像することによって、サーバ３から取得した商品情報をリスト化したものであって、５０音順に自動的にソートされる。
【００４７】
図５（ａ）の例では、Ａ社製のおにぎり、Ｂ社製のお茶、Ｃ社製の風邪薬、Ｄ社製のバタークッキーが示されている。
【００４８】
図５（ａ）の保存リストの表示画面において、所望の商品、例えば、Ａ社のおにぎりをタップすると、図５（ｂ）に示すように、その商品の横にセット（Ｓｅｔ）ボタン２１が表示され、このセットボタン２１を操作すると、その商品についての商品情報の表示画面へ移動する。
【００４９】
この保存リストの表示画面の右下には、削除ボタン２２が表示され、商品を選択し、この削除ボタンを押すことで、必要なくなった商品を保存リストから削除することができる。
【００５０】
図６及び図７は、この実施形態の携帯端末２の動作説明に供するフローチャートである。
【００５１】
先ず、当該商品情報提供システム用のプログラムを起動して上述の起動画面を表示し（ステップＳ１）、保存リストに商品があるか否かを判断し（ステップＳ２）、商品がないときには、ステップＳ６に移り、バーコード６を読取り可能なカメラ８の撮影モードに移行する。
【００５２】
保存リストに商品があるときには、通信ネットワーク４に接続しているか否かを判断し（ステップＳ３）、通信ネットワーク４に接続していないときには、ステップＳ６に移る。通信ネットワーク４に接続しているときには、サーバ３と通信を行って保存リストの商品に更新情報があるか否かを確認し（ステップＳ４）、更新情報がないときには、ステップＳ６に移る。更新情報があるときには、更新情報がある商品に更新フラグを立ててステップＳ６に移る（ステップＳ５）。
【００５３】
ステップＳ６では、バーコード６を読取り可能なカメラ８の撮像モードとなり、保存リストボタン１８が操作されたか否かを判断し（ステップＳ７）、保存リストボタン１８が操作されなかったときには、バーコードを認識したか否かを判断し（ステップＳ８）、バーコードを認識したときには、図７に示すように、そのバーコードに対応する商品が、保存リストにあるか否かを判断し（ステップＳ９）、保存リストに対応する商品がないときには、通信ネットワーク４に接続されているか否かを判断し（ステップＳ１０）、接続されていないときには、通信ネットワーク４に接続した状態で、再度、カメラ８をバーコード６にかざすように促すメッセージを一定期間表示する（ステップＳ１１）。
【００５４】
ステップＳ１０において、通信ネットワーク４に接続されているときには、サーバ３へその商品のバーコードのＩＤコードを送信し、サーバ３に該当商品の情報があるか否かを確認し（ステップＳ１２）、その商品の情報がないときには、この商品はシステム対応商品でない旨のメッセージを一定期間表示する（ステップＳ１３）。サーバ３に商品の情報があるときには、その商品情報をサーバ３からダウンロードし（ステップＳ１４）、ダウンロードした商品情報を表示する（ステップＳ１５）。
【００５５】
上記図６のステップＳ７において、保存リストボタン１８が操作されたときには、保存リスト画面に移行し（ステップＳ１６）、保存リストの商品が選択されたか否かを判断し（ステップＳ１７）、商品が選択されると、図７に示すように、その商品に更新フラグが立っているか否かを判断し（ステップＳ１８）、更新フラグが立っているときには、通信ネットワークに接続されているか否かを判断し（ステップＳ１９）、接続されていないときには、通信ネットワークの接続を促すメッセージを一定期間表示する（ステップＳ２０）。
【００５６】
上記ステップＳ１８において、その商品に更新フラグが立っていないときには、保存リストからその商品の商品情報を読み出して表示する（ステップＳ２１）。
【００５７】
図４の例では、タッチパネル１０には商品情報のみ表示したけれども、本発明の他の実施形態として、商品「おにぎり」の原材料である、鮭、海苔、お米についての画像、成分組成、消費期限等の情報が表示された矩形の領域４の表示内容を、カメラ８で撮像した現実空間の商品「おにぎり」の撮像画像に重畳させて表示してもよい。
【００５８】
すなわち、現実空間の商品「おにぎり」の画像に、あたかもその商品に商品情報が付されているかのように表示する、いわゆるＡＲ技術を利用して商品情報を提供するようにしてもよい。
【００５９】
図４は、商品情報は、一例であり、商品が、野菜、果物、魚介類、肉類といった生鮮食品である場合には、その生鮮食品の鮮度の評価の目安についての情報を提供してもよい。
【００６０】
例えば、新鮮な生鮮食品の色や形状といった鮮度の目安となる情報を提供する。生鮮野菜、例えば、トマトの場合には、図８に示すように、新鮮なトマトの画像と、「ヘタが緑色で、いきいきしているものほど新鮮。全体にかたくしまり丸みのあるものがよい。」といったメッセージとを商品情報とし、サーバ３から上述のように携帯端末２にダウンロードしてタッチパネル１０に表示する。
【００６１】
これによって、利用者は、タッチパネル１０に表示された鮮度を評価するための商品情報と、実際のトマトとを見比べて鮮度を評価することが可能となる。
【００６２】
また、商品が、例えば袋とじされた雑誌である場合には、その袋に付されているバーコードを読取ってサーバ３に送信することによって、サーバ３から商品情報として、商品である雑誌の内容の一部を提供し、利用者の携帯端末２のタッチパネル１０に雑誌の内容の一部を表示するようにしてもよい。
【００６３】
上述の実施形態では、以前にサーバ３から取得して保存リストとして格納した商品情報は、保存リストボタン１８を操作して読み出すようにしたけれども、本発明の他の実施形態として、保存リストボタン１８の操作に代えて、商品５の正面のパッケージの一部または全体の撮影画像に基づいて商品を認識し、認識した商品の商品情報を、保存リストから読み出してタッチパネル１０に表示してもよい。
【００６４】
この場合、利用者は、以前にサーバ３から商品情報を取得している商品については、商品５の正面のパッケージをカメラ８で撮像すればよく、保存リストボタン１８やセットボタン２１を操作する必要がない。
【００６５】
商品情報は、上述のように、商品の原材料、その組成割合、商品の製法、商品の広告、食品の調理方法、生鮮食品の鮮度の見分け方、商品を購入した消費者の商品に関するコメント、商品の価格情報等、様々である。このような様々な商品情報を提供する場合には、サーバ３からダウンロードする際に、提供可能な商品情報の項目をタッチパネル１０に表示し、利用者が必要な項目の情報を選択できるようにすればよい。
【００６６】
また、この商品情報は、画像、動画、３Ｄオブジェクト表示としてもよい。
【符号の説明】
【００６７】
１              商品情報提供システム
２              携帯端末
３              サーバ
４              通信ネットワーク
５              商品
６              バーコード
７              スマートラベル
【図１】
2014041508.tif 000003
【図２】
2014041508.tif 000004
【図６】
2014041508.tif 000005
【図７】
2014041508.tif 000006
【図８】
2014041508.tif 000007
【図３】
2014041508.tif 000008
【図４】
2014041508.tif 000009
【図５】
2014041508.tif 000010